(57)【特許請求の範囲】
【請求項１】
配電盤内に設けられ、所定の採取面積を有した塩分採取用の電動回転式ドラムと、一定量に保持され、前記塩分採取用の電動回転式ドラムに付着した塩分が浸される測定水と、該測定水の導電率を測定する導電率計とを有し、前記導電率計の測定値が設定値以上になったら塩分付着量が多くなったとみなして警報を発することを特徴とする配電盤の塩害予測保全装置。
【請求項２】
前記設定値は、前記測定水中の塩分付着密度が０．１ｍｇ／ｃｍ2であるときに、塩分含有量と固有抵抗の関係を表す塩分含有量校正曲線から求められる導電率であることを特徴とする請求項１に記載の配電盤の塩害予測保全装置。
【請求項３】
前記塩分採取面積は１００ｃｍ2であり、測定水の量は１００ｃｃであることを特徴とする請求項１又は２に記載の配電盤の塩害予測保全装置。
【発明の詳細な説明】
【０００１】
【産業上の利用分野】
本発明は、海岸近接地域（塩害地域）に設置される配電盤の塩害予測保全装置に関する。
【０００２】
【従来の技術】
一般の屋外盤の塩害対策として、外被の腐食には塗料の種類及び膜厚等で対策を講じているが、内部の塩害による電気的な面に対しての対策はなされていないのが現状である。
【０００３】
【発明が解決しようとする課題】
前記のように配電盤内部に対する塩害対策がなされていないため、配電盤内部がどの程度の塩害を受けているのかは、次のような不具合が発生した時点でしか判断できないものであった。
【０００４】
（１）絶縁劣化による部分放電発生
（２）主回路機器等の導電部メッキの腐食発生
（３）制御部品の接点等に接触不良発生
（４）内部の板金に錆びが発生。
【０００５】
本発明は上記の点に鑑みてなされたものでその目的は、配電盤内部で前述した不具合が発生する前に警報を発してメンテナンス等の予測保全を行うことができる配電盤の予測保全装置を提供することにある。
【０００６】
【課題を解決するための手段】
本発明は、
（１）配電盤内に設けられ、所定の採取面積を有した塩分採取用の電動回転式ドラムと、一定量に保持され、前記塩分採取用の電動回転式ドラムに付着した塩分が浸される測定水と、該測定水の導電率を測定する導電率計とを有し、前記導電率計の測定値が設定値以上になったら塩分付着量が多くなったとみなして警報を発することを特徴とし、
（２）前記設定値は、前記測定水中の塩分付着密度が０．１ｍｇ／ｃｍ2であるときに、塩分含有量と固有抵抗の関係を表す塩分含有量校正曲線から求められる導電率であることを特徴とし、
（３）前記塩分採取面積は１００ｃｍ2であり、測定水の量は１００ｃｃであることを特徴としている。
【０００７】
【作用】
塩分が採取された測定水中の導電率を測定することにより塩分付着量を知ることができる。配電盤内が塩分により汚損され、導電率計で測定された導電率が、内部クリーニングしなければならない塩分付着量、例えば塩分付着密度が０．１ｍｇ／ｃｍ２であるときの導電率以上となった場合、警報が発せられる。このため配電盤内部の塩害による不具合発生は未然に防ぐことができる。またメンテナンス時期の予測保全が行われる。
【０００８】
【実施例】
以下、図面を参照しながら本発明の一実施例を説明する。本発明では、塩害による不具合が発生する前に盤内がどれだけ塩分による汚損を受けているかを、単位面積当たりの塩分付着量測定装置を盤内に装備し、ある設定値（内部クリーニングしなければならない塩分付着量）以上に到達した場合、警報を出力し保全を行うように構成した。
【０００９】
塩分付着量の測定方法は従来から図２に示す方法が用いられている。すなわちまずステップＳ１において、ビーカに１００ｃｃの蒸留水を入れ、この水で測定品の表面をガーゼでよくふき、汚損物の付いたガーゼをビーカの中でよくゆすぐ。
【００１０】
次にステップＳ２において、汚損液の導電率を導電率計（メーカ、ＹＥＷ形式ＳＣ８２）を用い測定する。
【００１１】
次にステップＳ３において、Ω・ｃｍ＝１／（Ｓ・ｃｍ）の式にて抵抗率を算出する。
【００１２】
次にステップＳ４において、塩分含有量校正曲線から、ＮａＣｌ含有量（ｍｇ／１００ｃｃ）を求める。
【００１３】
次にステップＳ５において、単位面積（ｃｍ２）あたりの塩分付着量（ｍｇ）を次式によって求める。
Ｙ＝Ａ／Ｓ
ただしＹ…測定品の塩分付着密度（ｍｇ／ｃｍ２）
Ａ…ＮａＣｌ含有量（ｍｇ／１００ｃｃ）
Ｓ…測定品の汚損面積（ｃｍ２）。
【００１４】
上記図２の測定方法によれば、導電率の測定値が解れば塩分付着量も解る。このため本発明では、この測定方法を利用して図１のような塩分付着量測定装置を構成し、導電率測定値が所定値以上になった（塩分付着量が多くなる、すなわち絶縁劣化）ら、警報を発してメンテナンス等の保全を行うようにした。
【００１５】
図１において１は配電盤、２は通気口、３はフィルターである。配電盤１内には塩分付着量測定装置４が設けられている。この塩分付着量測定装置４は、塩分採取用の電動回転式ドラム５およびブラシ６と、該ドラム５に付着した塩分が浸される測定水７と、導電率を検出するためのセンサ８と、導電率計９とで構成されている。外気は通気口２およびフィルター３を介して配電盤１内へ入り込む。
【００１６】
上記のように構成された装置において、警報を発するときの導電率を設定するために装置の条件を次のように設定する。
条件１…塩分付着量の警報しきい値を０．１ｍｇ／ｃｍ２とする。
条件２…塩分採取用の水を１００ｃｃとし、一定に水量を保つ方式とする。
条件３…塩分採取面積を１００ｃｍ２とする。
【００１７】
上記条件により導電率を逆算する。まず塩分付着密度０．１ｍｇ／ｃｍ２の時の総塩分含有量（Ａ＝Ｙ・Ｓより）は、０．１ｍｇ／ｃｍ２×１００ｃｍ２＝１０ｍｇ／１００ｃｃとなり、該１０ｍｇ／１００ｃｃのときの抵抗率は図３に示す塩分含有量校正曲線から、４．８×１０３（Ω・ｃｍ）であることが解る。このため導電率はＳ・ｃｍ＝１／Ω・ｃｍより、１／（４．８×１０５）＝２．０８×１０−４（Ｓ・ｃｍ）となる。
【００１８】
したがって本実施例の装置では、塩分付着密度０．１ｍｇ／ｃｍ２のときの導電率、すなわち２．０８×１０−４（Ｓ・ｃｍ）以上となったときに導電率計９から警報が発せられる。
【００１９】
尚塩分付着量測定装置４は図１に示すものに限らず同様の動作を行う他の装置で構成しても良い。また前記条件１〜３は本発明の作用、効果が損なわれない限り、他の条件に設定しても良い。
【００２０】
【発明の効果】
以上のように本発明によれば、配電盤内に設けられ、所定の採取面積を有した塩分採取用の電動回転式ドラムと、一定量に保持され、前記塩分採取用の電動回転式ドラムに付着した塩分が浸される測定水と、該測定水の導電率を測定する導電率計とを有し、前記導電率計の測定値が設定値以上になったら塩分付着量が多くなったとみなして警報を発するように構成したので、次のような優れた効果が得られる。
【００２１】
（１）配電盤内部の塩害による不具合発生を未然に防ぐことができ、またメンテナンス時期等の予測保全が可能となる。
【００２２】
（２）前記（１）によって、絶縁劣化による部分放電、主回路機器等の導電部メッキの腐食、制御部品の接点等の接触不良、内部の板金の錆び等は発生しない。
【図面の簡単な説明】
【図１】本発明の一実施例の装置の構成図。
【図２】本発明の一実施例で利用する従来の塩分付着量測定方法の一例を示すフローチャート。
【図３】ＮａＣｌ含有量と水溶液固有抵抗の関係を表す塩分含有量校正曲線図。
【符号の説明】
１…配電盤
２…通気口
３…フィルター
４…塩分付着量測定装置
５…電動回転式ドラム
６…ブラシ
７…測定水
８…センサ
９…導電率計
【図１】
0003601095.tif 000002
【図２】
0003601095.tif 000003
【図３】
0003601095.tif 000004